(57)【要約】【課題】部品数が少なく側圧調整が容易なヘッドホンを提供する。【解決手段】ヘッドホン（５１）は、ヘッドパッド（１１）と、バンド（１２）と、スリーブ（１３）と、を備える。バンド（１２）は、ヘッドパッド（１１）の端部から延出し、先端部にスピーカユニット（ＳＰ）を収容したハウジング（３１）を、ハンガー部（２１）を介して支持する。スリーブ（１３）は、ヘッドパッド（１１）及びバンド（１２）に対しスライドしてバンド（１２）の変形部分（１２３）の長さを調整する。【選択図】図２
2020014107.tif 000002
【特許請求の範囲】
【請求項１】
ヘッドパッドと、
前記ヘッドパッドの端部から延出し、先端部にスピーカユニットを収容したハウジングをハンガー部を介して支持するバンドと、
前記ヘッドパッド及び前記バンドに対しスライドして前記バンドの変形部分の長さを調整するスリーブと、
を備えたヘッドホン。
【請求項２】
前記変形部分は、前記バンドにおける前記スリーブの前記ハンガー部側の端部と、前記ハンガー部の前記ヘッドパッド側の端部との間の部分であることを特徴とする請求項１記載のヘッドホン。
【請求項３】
前記スリーブは、前記ヘッドパッドの内部に少なくとも一部が収容可能であることを特徴とする請求項１又は請求項２記載のヘッドホン。
【請求項４】
前記スリーブは、前記ヘッドパッドに対するスライド量を把握可能なマークを有していることを特徴とする請求項１〜３のいずれか１項に記載のヘッドホン。
【発明の詳細な説明】
【技術分野】
【０００１】
本発明は、側圧調整可能なヘッドホンに関する。
【背景技術】
【０００２】
頭部装着時の側圧を調整可能なヘッドホンが特許文献１に記載されている。
【先行技術文献】
【特許文献】
【０００３】
【特許文献１】特開２０１７−０９８８６９号公報
【発明の概要】
【発明が解決しようとする課題】
【０００４】
特許文献１に記載されたヘッドホンは、本来のヘッドバンドに対応し左右の耳の付近を両端として頭部に掛け渡される板ばねと、その板ばねに加えて側圧を調整するための、側圧調整用ばね，アジャスタ部，及び両部材間に介在させるスペーサを備えている。
【０００５】
そのため、特許文献１に記載されたヘッドホンは、側圧を調整するための部品数が多いという点で改善の余地がある。
また、調整量を視覚的に把握しにくいので、例えばヘッドホンを複数の使用者で共同使用した場合、各使用者の最適側圧に即時に調整しにくい、など、側圧調整が容易ではないという点で改善の余地がある。
【０００６】
そこで、本発明は、部品数が少なく側圧調整が容易なヘッドホンを提供することを目的とする。
【課題を解決するための手段】
【０００７】
上記の課題を解決するために、本発明は次の１）の構成を有する。
１）ヘッドパッドと、
前記ヘッドパッドの端部から延出し、先端部にスピーカユニットを収容したハウジングをハンガー部を介して支持するバンドと、
前記ヘッドパッド及び前記バンドに対しスライドして前記バンドの変形部分の長さを調整するスリーブと、
を備えたヘッドホンである。
【発明の効果】
【０００８】
本発明によれば、部品数が少なく側圧調整が容易である、という効果が得られる。
【図面の簡単な説明】
【０００９】
【図１】図１は、本発明の実施の形態に係るヘッドホンの実施例であるヘッドホン５１の第１の状態を示す前面図である。
【図２】図２は、ヘッドホン５１の第２の状態を示す前面図である。
【図３】図３は、ヘッドホン５１の第１の状態におけるバンド１２を示す部分斜視図である。
【図４】図４は、ヘッドホン５１の第２の状態におけるバンド１２を示す部分斜視図である。
【図５】図５は、ヘッドホン５１が有するヘッドパッド１１の縦断面図である。
【図６】図６は、図５におけるＳ６−Ｓ６位置での断面図である。
【図７】図７は、変形例のヘッドホン５１Ａの第１の状態を示す部分前面図である。
【図８】図８は、ヘッドホン５１Ａの第２の状態を示す部分前面図である。
【発明を実施するための形態】
【００１０】
本発明の実施の形態に係るヘッドホンを、実施例のヘッドホン５１により説明する。
【００１１】
（実施例）
ヘッドホン５１の外観上の構成を、図１及び図２を参照して説明する。
図１及び図２は、ヘッドホン５１のそれぞれ第１及び第２の状態を示す前面図である。
図１及び図２に示されるように、ヘッドホン５１は、ヘッドバンド１と、ヘッドバンド１の左端に取り付けられた左耳用のハンガー部２１及びハウジング３１と、右端に取り付けられた右耳用のハンガー部２１及びハウジング３１と、を有する。
【００１２】
ヘッドバンド１はヘッドパッド１１を有し、ヘッドパッド１１にはスリーブ１３が出入り自由に収容される。スリーブ１３は、指により、ヘッドパッド１１から延出するバンド１２に沿ってスライドさせて、ヘッドパッド１１から任意の量で引き出し可能になっている。後述する第１の状態及び第２の状態の違いは、そのスリーブ１３のスライドによる引き出し量の違いである。
具体的には、第１の状態は、スリーブ１３の引き出し量が０（ゼロ）の収容状態であり、第２の状態は、スリーブ１３の引き出し量が最大の状態である。
上下左右の各方向を、便宜的に図１及び図２に示された矢印の方向で規定する。また、図１及び図２の紙面手前側を後方とする。
ヘッドホン５１は、スリーブ１３の引き出し量に応じた側圧が得られる。側圧は、イヤーパッド３２を介してヘッドホン５１の使用者の側頭部へ付与される圧力である。これにより、ヘッドホン５１の使用者は、スリーブ１３の引き出し量を調整して側圧の大きさを調整することができる。
【００１３】
ハンガー部２１は、下部にハウジング３１をピボット支持するピボット支持部２１１を有する。ハウジング３１は、内部にスピーカユニットＳＰを収容し、図１に示される状態で他方のハウジング３１に向け音を放出する。ハウジング３１における音放出面側には、ヘッドホン５１を頭部に装着したときに耳当てとなるイヤーパッド３２が取り付けられている。
【００１４】
ヘッドバンド１は、ヘッドパッド１１，バンド１２，及びスリーブ１３を有する。
ヘッドパッド１１は、ヘッドホン５１を頭部に装着した際に、例えば頭頂部に位置する部材であり、前面視で概ね半径Ｒ１の円弧状となる鞘状の筒体として形成されている。ヘッドパッド１１は、例えば樹脂製の複数の部材が組み合わされて構成されている。
【００１５】
バンド１２は、金属又は樹脂によって円弧状に形成された帯部材であり、径の拡縮方向に可撓性を有する。
バンド１２は、ハンガー部２１に連結し内部に収められる両端部が平板状に形成され、中央部が、前面視において、ヘッドパッド１１と同じ半径Ｒ１で円弧状に形成されている。
バンド１２は、長手方向（図１における左右方向）の中央部がヘッドパッド１１の内部に貫通し固定され、左右両端部がヘッドパッド１１から外方に延出している。延出したバンド１２の左右端部は、それぞれハンガー部２１に連結されている。
ハンガー部２１は、ヘッドホンにおける周知の構造により、バンド１２に対し上下位置を調整可能となっている。図１及び図２は、ハンガー部２１がバンド１２に対し最上位置にある状態を示している。
【００１６】
スリーブ１３は、前面視で、バンド１２が挿通される位置で半径Ｒ１となる同心円弧状の鞘状筒体として、樹脂又は金属により形成されている。
スリーブ１３は、鞘状のヘッドパッド１１の内部に少なくとも一部が出入り可能に収容される。
また、鞘状のスリーブ１３は、バンド１２に対しその長手方向に摺動可能に取り付けられている。
すなわち、ヘッドバンド１は、次の第１〜第３の状態をとる。
第１の状態は、スリーブ１３がヘッドパッド１１に最も収容された状態（図１）である。第２の状態は、スリーブ１３がヘッドパッド１１からバンド１２に沿って最大量引き出された状態（図２）である。第３の状態は、第１の状態と第２の状態との中間の、スリーブ１３が第１の状態から最大を除く任意の量だけ引き出された状態（不図示）である。
【００１７】
バンド１２の曲げ剛性とスリーブ１３の曲げ剛性との大小関係は限定されないが、スリーブ１３の曲げ剛性は、バンド１２の曲げ剛性以上であるとよい。
【００１８】
図３及び図４は、それぞれヘッドバンド１の第１の状態及び第２の状態におけるバンド１２を示す部分斜視図である。
図３に示されるように、バンド１２の、ヘッドホン５１における外側の面となる外面１２２にはハンガー位置指示部１２１が形成されている。ハンガー位置指示部１２１は、わずかに凹んだマーク１２１ａ，１２１ｂの複数個の群として、ハンガー部２１の上下方向の調整位置の目印として形成されている。ハンガー位置指示部１２１は、調整位置を使用者が視認把握できるための調整量把握部ＴＨとして形成されている。
目印は、例えば図３に示されている、線状のマーク１２１ａ或いは数字のマーク１２１ｂである。
これにより、ハンガー部２１を矢印ＤＲ３方向に上方移動して上下位置を調整したときに、ハンガー部２１に隠れずに残る目盛りによって、ハウジング３１を支持したハンガー部２１の移動後の位置を容易に視認把握できる。
【００１９】
次に、ヘッドパッド１１の内部構造例及びスリーブ１３の出入り動作を、図５及び図６を主に参照して説明する。図５は、ヘッドパッド１１の前後中央位置での縦断面図であり図６は図５におけるＳ６−Ｓ６位置での横断面図である。
【００２０】
図５に示されるように、ヘッドパッド１１は、前面視でバンド１２が挿通される径位置で半径Ｒ１となる同心円弧状に形成されたパッド基部１１１を有する。
パッド基部１１１は、横断面形状が矩形で左右対称の鞘状筒体として形成されている。
パッド基部１１１は、左右方向の中央部に形成された仕切り壁としての固定壁部１１３と、固定壁部１１３により左右に区切られた内部空間であって、それぞれ左端，右端を開口部とする一対の収容部１１２，１１２と、を有する。
収容部１１２，１１２は左右対称形状であり、以下、代表として左側の収容部１１２を説明する。
【００２１】
収容部１１２は、横断面形状が矩形を呈する（図６参照）。
収容部１１２の上側の内壁１１２ｂには、左端部に近い位置に下方に突出するストッパ１１２ａを有する。
収容部１１２の下側の内壁１１２ｃには、ストッパ１１２ａに対向した位置に上方に突出する係合腕部１１４が形成されている。
係合腕部１１４は、上下方向に可撓性を有する腕片部１１４ａと、腕片部１１４ａの先端に、前後方向に延びる半円柱状で上方に突出した係合凸部１１４ｂと、を有する。
【００２２】
固定壁部１１３には、左右の収容部１１２，１１２を連通する貫通孔１１３ａを有する。貫通孔１１３ａにはバンド１２が挿通され、バンド１２は、その中央部が貫通孔１１３ａに接着剤などによって固定され、ヘッドパッド１１と一体化されている。
【００２３】
次に、スリーブ１３について詳述する。
スリーブ１３は、ヘッドバンド１において２個用いられ、左右一対の収容部１１２，１１２それぞれに左右対称となる姿勢で収容されている。
以下、左側の収容部１１２に収容されるスリーブ１３を代表として説明する。
【００２４】
スリーブ１３は、前面視が円弧状で横断面形状が矩形の鞘状部材である。
スリーブ１３は、両端面に開口し半径Ｒ１で形成された円弧状の貫通孔１３８を有する。貫通孔１３８にはバンド１２が摺動自在に挿通されている。
スリーブ１３は、基部１３２とスリーブ頭部１３１と、を有する。基部１３２は、その全体が収容部１１２に収容され得る。スリーブ頭部１３１は、基部１３２の一方（左方）の端部において全周で外方向に張り出し、パッド基部１１１の端面１１５に突き当てられる。
【００２５】
スリーブ１３は、外側溝部１３５を有する。外側溝部１３５は、における、ヘッドバンド１の外径側となる面において、、前後方向の中央部にヘッドバンド１の内径側に向け抉られた部位である。外側溝部１３５は、スリーブ頭部１３１の根本から基部１３２の右側端部近傍まで形成され、外側溝部１３５の右側端は、壁としての当て部１３４となっている。
当て部１３４は、スリーブ１３をスライドさせてヘッドパッド１１から引き出したときに、設定された最大引き出し位置でストッパ１１２ａに当接し、それ以上のスライドを規制する。
【００２６】
外側溝部１３５の底面には、わずかな凹部として形成されたマーク１３７ａ（図４及び図６参照）が、複数所定間隔で形成され、スリーブ長指示部１３７を構成している。
スリーブ長指示部１３７は、図４に示されるように、スリーブ１３の長手方向に所定間隔で例えば凹部として形成されたマーク１３７ａの群である。
【００２７】
スリーブ１３は、内側溝部１３６を有する。内側溝部１３６は、基部１３２における、ヘッドバンド１の内径側となる面において、前後方向の中央部に、ヘッドバンド１の外径側に向け抉られた部位である。内側溝部１３６は、基部１３２の全長手、すなわち、スリーブ頭部１３１の根本から基部１３２の右側端部まで連続して形成されている。
内側溝部１３６の底面には、半円断面で前後方向に抉り延びる係合凹部１３３が、左右方向に所定ピッチで複数形成されている。この複数の係合凹部１３３をまとめて係合凹部群１３３Ｇと称する。
各係合凹部１３３は、スリーブ１３をヘッドパッド１１の収容部１１２に挿入移動した際に、ヘッドパッド１１の係合凸部１１４ｂが係合可能となるように形成されている。
【００２８】
上述のヘッドパッド１１の構造により、ヘッドホン５１の使用者は、スリーブ１３を指でスライドしてパッド基部１１１に対し出入りさせることができる（図４矢印ＤＲ５参照）。
また、スリーブ１３をパッド基部１１１に対して出入り移動させると、スリーブ１３の係合凹部群１３３Ｇのうちの、スリーブ１３の出入り量に対応した係合凹部１３３に、パッド基部１１１の係合凸部１１４ｂが弾性的に係合する。係合凸部１１４ｂと係合凹部１３３との係合は、スリーブ１３を、ある程度の力をかけて移動させることで解消できる。
これにより、使用者は、スリーブ１３をパッド基部１１１からの出入り移動させた際に、所定の移動間隔でクリック感が得られる。また、スリーブ１３は、任意の引き出し位置において、指で解除可能な程度で保持される。
【００２９】
スリーブ長指示部１３７は、図４に示されるように、所定の間隔で形成された複数のマーク１３７ａの群である。これにより、使用者は、スリーブ１３の引き出し位置、すなわち引き出し量を視認把握することが容易であるし、再現性の高い調整を行うことができる。
また、スリーブ１３における内側溝部１３６の底面に形成された複数の係合凹部１３３の所定ピッチと、複数のマーク１３７ａの所定の形成間隔とを一致させると、スリーブ１３の引き出し位置と引き出し量との関連性が高くなるので、調整作業がより容易になる。
【００３０】
このように、ヘッドホン５１は、バンド１２に対するハンガー部２１の上下調整位置とバンド１２に対するスリーブ１３の引き出し位置とが、それぞれハンガー位置指示部１２１とスリーブ長指示部１３７との設置により視認把握可能となっている。
【００３１】
上述のヘッドバンド１を有するヘッドホン５１は、既述のように、スリーブ１３のヘッドパッド１１からの引き出し量を変えることで側圧を調整することができる。この側圧の調整について次に詳述する。
【００３２】
図１及び図２において、ヘッドホン５１は、第１の状態及び第２の状態それぞれにおいて力の付与されていない自然状態が示されている。
ヘッドホン５１を使用する場合、使用者は、一対のハウジング３１，３１を左右方向に広げた状態で自身の頭部の耳に装着する。
これにより、ヘッドバンド１は、外側に広がるように変形する。そのため、その変形で生じたヘッドバンド１の弾性反発力がイヤーパッド３２を介して耳或いは側頭部を押し、使用者に側圧として知覚される。
【００３３】
ここで、ハンガー部２１におけるハウジング３１の支持位置を基準点Ｐ２と称して、ヘッドバンド１の拡縮を評価する。
この場合、図１に示される、自然状態での一対のハウジング３１，３１における各基準点Ｐ２間の左右距離を、距離Ｌ０とする。
【００３４】
第１の状態のヘッドホン５１を頭部に装着すると、基準点Ｐ２は、ヘッドバンド１が広がって、基準点Ｐ２よりも外側の使用時基準点Ｐ２αに移動する（矢印ＤＲ１参照）。
基準点Ｐ２の使用時基準点Ｐ２αまでの移動距離Ｌ１は、ヘッドバンド１の先端部位の変形量に概ね相当する。
【００３５】
ヘッドバンド１の変形は、ヘッドパッド１１，ハンガー部２１，及びスリーブ１３の曲げ剛性がバンド１２の曲げ剛性よりも十分大きい場合、バンド１２のスリーブ頭部１３１の根本位置が変形支点Ｐ１となる。そして、バンド１２における変形支点Ｐ１からハンガー部２１の根本までの延面距離である腕長ＬＣ１の部分が主に変形する。この腕長ＬＣ１の部分が、バンド１２の第１の状態における変形部分１２３となる。すなわち、腕長ＬＣ１は、第１の状態における、バンド１２の実質的な変形部分１２３の長さとなる。
【００３６】
一方、スリーブ１３を最大に引き出した第２の状態のヘッドホン５１を頭部に装着すると、基準点Ｐ２は、第１の状態と同じ使用時基準点Ｐ２αに移動する（矢印ＤＲ２参照）。
従って、基準点Ｐ２の使用時基準点Ｐ２αまでの移動距離Ｌ１は、第１の状態と同じである。
【００３７】
しかしながら、変形支点の位置は、スリーブ１３が引き出されてバンド１２のヘッドパッド１１側の一部がスリーブ１３に覆われることから、第１の状態の場合とは異なる。
すなわち、スリーブ１３の曲げ剛性がバンド１２よりも十分大きいため、ヘッドバンド１の変形は、実質的にバンド１２の変形に依存する。そして、バンド１２の変形支点Ｐ１２は、引き出されたスリーブ１３におけるスリーブ頭部１３１の根本の位置となる。従って、バンド１２は、変形支点Ｐ１２からハンガー部２１の根本までの延面距離である腕長ＬＣ２の部分が変形する。この腕長ＬＣ２の部分が、バンド１２の第２の状態における変形部分１２３となる。すなわち、腕長ＬＣ２は、第２の状態における、バンド１２の実質的な変形部分１２３の長さとなる。
【００３８】
上述のように、ヘッドホン５１は、スリーブ１３のスライドによって、バンド１２の変形部分１２３の長さである腕長を調整することができる。
第２の状態における腕長ＬＣ２は、第１の状態における腕長ＬＣ１よりも、引き出されたスリーブ１３の引き出し量の分だけ短い。
そのため、基準点Ｐ２が移動距離Ｌ１だけ移動するよう変形したときのバンド１２の曲げ角度は、第２の状態の場合の方が、第１の状態の場合よりも大きく弾性反発力が大きくなる。すなわち、使用者が感じる側圧が大きくなる。
【００３９】
基準点Ｐ２の移動距離Ｌ１は、スリーブ１３の引き出し量によらず変わらない。そのため、バンド１２の弾性反発力は、スリーブ１３の引き出し量に応じて調整できる。すなわち、側圧をスリーブ１３の引き出し量に応じて調整できる。
【００４０】
ヘッドホン５１は、この側圧調整を、ハンガー部２１の上下位置の調整を伴わずに独立して行える。そのため、使用者は、自身の頭部形状或いは好みの装着感に応じた側圧調整を、きめ細かく、かつ容易に行える。
また、ヘッドホン５１は、ハンガー位置指示部１２１及びスリーブ長指示部１３７を有している。そのため、使用者は、ハンガー部２１の上下調整位置及びスリーブ１３のヘッドパッド１１からの引き出し量を視認把握でき、側圧調整をより容易に行える。
このように、ヘッドホン５１は、少ない部品数で側圧調整が可能になっている。
【００４１】
また、ヘッドホン５１は、側圧調整作業を、スリーブ１３のヘッドパッド１１からの出入りのみで行うことができ、ねじを回すなどの回転操作が不要である。そのため、ヘッドホン５１は、側圧調整の時間が短くて済み、その調整作業が容易である。
【００４２】
また、ヘッドホン５１は、左耳用及び右耳用のハウジングそれぞれについて独立して側圧を調整できる。そのため、使用者は、左右の装着側圧のバランスを意図的に変えたい場合や、左右異なる形状の髪型でヘッドホン５１を装着したい場合においても、左耳及び右耳に対する側圧それぞれを、好みの圧力に調整して、ヘッドホン５１をより良好な感触で装着することができる。
【００４３】
以上詳述した実施例は、上述の構成に限定されるものではなく、本発明の要旨を逸脱しない範囲において変形してもよい。
【００４４】
スリーブ１３の曲げ剛性は、バンド１２の曲げ剛性以上であるとよいが、未満であってもよい。
すなわち、バンド１２において、ヘッドパッド１１から引き出されたスリーブ１３で覆われた部分の曲げ剛性は、バンド１２の曲げ剛性にスリーブ１３の曲げ剛性が加えられた剛性を有する。
従って、スリーブ１３の曲げ剛性がバンド１２の曲げ剛性未満であっても、バンド１２のスリーブ１３に覆われた部分の曲げ剛性は、スリーブ１３に覆われていないバンド１２のみの曲げ剛性よりも大きくなる。
これにより、スリーブ１３をヘッドパッド１１から引き出すことにより、基準点Ｐ２が使用時基準点Ｐ２αへ変形移動した際の弾性反発力を大きくして側圧を大きくなる方向へ調整することができる。
【００４５】
ハンガー位置指示部１２１及びスリーブ長指示部１３７は、調整量把握部ＴＨであって、視覚に限らず触覚で把握可能に形成されていてもよい。
ヘッドホン５１は、上述の左右一対のハウジング３１を有するいわゆるステレオタイプに限定されず、頭部に装着するヘッドバンドと頭部の一方側の耳に対応するハウジング３１と頭部の他方側に当接させる当てパッドと、を有し、他方側の耳が開放される態様のいわゆる片耳タイプであってもよい。
ヘッドホン５１は、ヘッドバンド１を頭部の頭頂部に掛け渡す態様のものを説明したが、ヘッドバンド１を後頭部或いは首の後方側へ掛け渡すタイプであってもよい。
【００４６】
ヘッドホン５１は、ヘッドパッド１１に挿通され左右端部がヘッドパッド１１から延出した一つのバンド１２を有するものとして説明したが、これに限定されるものではない。例えば、ヘッドホン５１は、ヘッドパッド１１の固定壁部１１３を貫通せずに一端側が固定され他端側にハンガー部２１及びハウジング３１が取り付けられた片耳用のバンドを、左右一対として備えたものであってもよい。
【００４７】
スリーブ１３は、バンド１２を完全に露出させずに覆うものに限定されない。
スリーブ１３は、例えば、軽量化或いは意匠品質向上のために、基部１３２にバンド１２を露出させる開口部を有していてもよい。開口部は、例えば、丸孔、角孔、細長孔などの孔、或いは端部から切り込まれて基部１３２の長手方向に延びるスリットであってもよい。
【００４８】
スリーブ１３は、ヘッドパッド１１の内部の収容部１１２に収容され、バンド１２に沿って出入りするものに限定されない。
例えば、スリーブ１３は、ヘッドパッド１１のパッド基部１１１の外側に嵌合してバンド１２に沿って移動可能なものであってもよい。
この変形例を、図７及び図８を参照して説明する。
【００４９】
変形例のヘッドホン５１Ａは、ヘッドバンド１Ａと、ハンガー部２１及びハウジング３１と、を有する。ヘッドバンド１Ａは、ヘッドパッド１１Ａと、バンド１２とスリーブ１３Ａと、を有する。
図７は、ヘッドバンド１Ａにおいて、第１の状態となるバンド１２の変形部分１２３が最も長い腕長ＬＣ１Ａの状態を示している。
図８は、ヘッドバンド１Ａにおいて、第２の状態となるバンド１２の変形部分１２３が最も短い腕長ＬＣ２Ａの状態を示している。
【００５０】
スリーブ１３Ａは、ヘッドパッド１１Ａにおけるパッド基部１１１Ａの外側に嵌合してヘッドパッド１１Ａの少なくとも一部を覆い、ヘッドパッド１１Ａとしての機能を有して長手方向にスライド可能となっている。スリーブ１３Ａのハンガー部２１側の端部には、バンド１２をほぼ隙間なく摺動可能にガイドするガイド部１３Ａａが設けられている。
これにより、スリーブ１３Ａを最もヘッドパッド１１Ａ側にスライドした第１の状態で、バンド１２の変形部分１２３が最も長くなって側圧が最も小さくなり、スリーブ１３Ａを最もヘッドパッド１１Ａから引き出した第２の状態で、変形部分１２３が最も短くなって側圧が最も大きくなる。
すなわち、スリーブ１３Ａをヘッドパッド１１Ａに対しスライドした際の引き出し量で、実施例と同様に側圧を調整できるので調整操作が容易である。
【符号の説明】
【００５１】
１，１Ａ  ヘッドバンド
１１，１１Ａ  ヘッドパッド
１１１  パッド基部
１１２  収容部
１１２ａ  ストッパ
１１２ｂ，１１２ｃ  内壁
１１３  固定壁部
１１３ａ  貫通孔
１１４  係合腕部
１１４ａ  腕片部
１１４ｂ  係合凸部
１１５  端面
１２  バンド
１２１  ハンガー位置指示部
１２１ａ，１２１ｂ  マーク
１２２  外面
１２３  変形部分
１３，１３Ａ  スリーブ
１３Ａａ  ガイド部
１３１  スリーブ頭部
１３２  基部
１３３  係合凹部
１３３Ｇ  係合凹部群
１３４  当て部
１３５  外側溝部
１３６  内側溝部
１３７  スリーブ長指示部
１３７ａ  マーク
１３８  貫通孔
２１  ハンガー部
２１１  ピボット支持部
３１  ハウジング
３２  イヤーパッド
５１  ヘッドホン
ＬＣ１，ＬＣ２，ＬＣ１Ａ，ＬＣ２Ａ  腕長
Ｌ０  距離
Ｌ１  移動距離
Ｐ１，Ｐ１２  変形支点
Ｐ２  基準点
Ｐ２α  使用時基準点
ＳＰ  スピーカユニット
ＴＨ  調整量把握部
【図１】
2020014107.tif 000003
【図２】
2020014107.tif 000004
【図３】
2020014107.tif 000005
【図４】
2020014107.tif 000006
【図５】
2020014107.tif 000007
【図６】
2020014107.tif 000008
【図７】
2020014107.tif 000009
【図８】
2020014107.tif 000010